(57)【特許請求の範囲】
【請求項１】
主面に矩形状の画像表示面が形成された偏平箱形の筐体を備え、
前記画像表示面に互いに９０度異なる方向を上下方向とする２通りの画像が表示され、
前記画像表示面の周囲部分に撮像素子が配置され、
前記画像表示面のいずれかの辺に沿う方向に、前記筐体から突出して形成された把手を備え、
前記撮像素子の光軸が、前記画像表示面の中心において前記画像表示面と垂直に交わる垂線上の基準点に向かって傾斜しており、
前記撮像素子は、前記把手の両端部の前記筐体との接続部分に配置されている、電子機器。
【請求項２】
前記画像表示面の周囲部分であって、前記画像表示面の縦方向および横方向の中心から離れた位置に前記撮像素子が配置される、請求項１に記載の電子機器。
【請求項３】
前記画像表示面の周囲部分であって、前記画像表示面の隅から斜め方向に離れた箇所に前記撮像素子が配置される、請求項１に記載の電子機器。
【請求項４】
前記撮像素子は、前記画像表示面の周囲部分であって前記画像表示面の対角線の延長上に位置する角部に配置され、
前記撮像素子が配置されている前記角部に隣接する前記画像表示面の２つの辺以外の辺に沿って、前記画像表示面の周囲部分に配置された操作部を有する、請求項１に記載の電子機器。
【請求項５】
前記基準点は、前記画像表示面を保持して視認する視認者が前記画像表示面を明視可能な領域内に位置する、請求項１に記載の電子機器。
【発明の詳細な説明】
【技術分野】
【０００１】
本開示は、撮像機能を備えた電子機器に関する。
【背景技術】
【０００２】
携帯型情報処理装置において、開閉式の本体を閉じた状態で撮像画像を確認しながらいわゆる自分撮りを行うことができるように、本体を閉じた状態で外側に面するカメラが配置された筐体の表面に、撮像中の画像を表示できる第２のモニタをカメラと並べて備えることが提案されている（特許文献１参照）。
【先行技術文献】
【特許文献】
【０００３】
【特許文献１】特許第３６９１８３１号公報
【発明の概要】
【発明が解決しようとする課題】
【０００４】
本開示は、互いに９０度異なる方向を上下方向とする２通りの画像を画像表示面に表示して使用するいずれの場合でも、良好な角度からの撮像画像を得ることができる電子機器を得ることを目的とする。
【課題を解決するための手段】
【０００５】
本開示の電子機器は、主面に矩形状の画像表示面が形成された偏平箱形の筐体を備え、画像表示面に互いに９０度異なる方向を上下方向とする２通りの画像が表示され、画像表示面の周囲部分に撮像素子が配置され、画像表示面のいずれかの辺に沿う方向に、筐体から突出して形成された把手を備え、撮像素子の光軸が、画像表示面の中心において画像表示面と垂直に交わる垂線上の基準点に向かって傾斜しており、撮像素子は把手の両端部の筐体との接続部分に配置されている。
【発明の効果】
【０００６】
本開示の電子機器は、画像表示面の周囲部分であって対角線の延長上に位置する角部に撮像素子が配置されているため、互いに９０度異なる方向を上下方向とする２通りの画像を画像表示面に表示して使用するいずれの場合でも、画像表示面に対する上側に撮像素子を位置させることができる。また、画像表示面のいずれかの辺に沿う方向に、筐体から突出して形成された把手を備え、撮像素子は把手の両端部の筐体との接続部分に配置されているため、画像表示面が横長状態および縦長状態にかかわらず、使用者の正面像を斜め上方から撮像した画像を表示することができる。このため、使用者を自然な角度で撮像することができる電子機器を得ることができる。
【図面の簡単な説明】
【０００７】
【図１】図１は、本実施形態にかかるタブレット型パソコンの主面の構成を示す平面図である。
【図２】図２は、本実施形態にかかるタブレット型パソコンの第１の使用状況を示す図である。
【図３】図３は、本実施形態にかかるタブレット型パソコンの第２の使用状況を示す図である。
【図４】図４は、本実施形態にかかるタブレット型パソコンにおける撮像素子の配置部の構成を示す要部拡大斜視図である。
【図５】図５は、本実施形態にかかるタブレット型パソコンの変形例を示す平面図である。
【図６】図６は、本実施形態にかかるタブレット型パソコンの、異なる第１の構成例を示す図である。
【図７】図７は、本実施形態にかかるパソコンの、異なる第２の構成例を示す図である。
【図８】図８は、本実施形態にかかるパソコンの、異なる第３の構成例を示す図である。
【発明を実施するための形態】
【０００８】
本開示の電子機器は、主面に矩形状の画像表示面が形成された偏平箱形の筐体を備え、画像表示面に互いに９０度異なる方向を上下方向とする２通りの画像が表示され、画像表示面の周囲部分であって画像表示面の対角線の延長上に位置する角部に撮像素子が配置されている。
【０００９】
上記本開示の電子機器は、矩形状の画像表示面が備えられた筐体の主面の、画像表示面の周囲部分であって画像表示面の対角線の延長上の角部に撮像素子が配置されているため、例えば、画像表示面を縦長、横長、いずれの方向に用いて画像表示を行っている場合でも、画像表示面の中心部よりも上側に撮像素子が配置されていることになる。このため、使用者の顔を上方からの光学軸で良好に撮像することができる。
【００１０】
また、画像表示面のいずれかの辺に沿う方向に、筐体から突出して形成された把手を備え、把手の両端部の筐体との接続部分に撮像素子が配置されていることができる。このようにすることで、把手を用いて筐体を保持することができる。また、画像表示面が横長状態および縦長状態にかかわらず、使用者の正面像を斜め上方から撮像した画像を表示することができる。
【００１１】
上記構成の電子機器において、撮像素子は、画像表示面の周囲部分であって画像表示面の対角線の延長上に位置する角部に配置され、撮像素子が配置されている角部に隣接する画像表示面の２つの辺以外の辺に沿って、画像表示面の周囲部分に配置された操作部を有することができる。このようにすることで、画像表示面の周囲に配置された操作部を、表示画像を遮ることなく操作することができる。
【００１２】
さらに、撮像素子の光軸が、画像表示面の中心において画像表示面と垂直に交わる垂線上の基準点に向かって傾斜していることができる。このようにすることで、使用者自身の顔を中央に配置した自然な画像を撮像することができる。
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を十分に理解するために添付図面および以下の説明を提供するのであって、これらによって特許請求の範囲に記載の主題を限定することを意図するものではない。
【００１５】
（発明の実施の形態）
以下、本実施の形態として、電子機器がタブレット型パソコンである場合を例示しながら説明する。以下図示して説明するタブレット型パソコンは、例えば医療現場で使用されることを想定したものであり、電子機器を保持する把手を備えた形態を例示している。
【００１６】
図１は、本実施の形態にかかる電子機器としてのタブレット型パソコン１００である。
【００１７】
タブレット型パソコン１００は、偏平箱形の筐体１を備え、最も面積の大きな主面１ａに、液晶パネルなどの平板型画像表示デバイスが配置されて画像表示面２が形成されている。画像表示面２は、図中上側の辺２ａ、左側の辺２ｂ、右側の辺２ｃ、下側の辺２ｄの４つの辺からなる矩形状であり、タブレット型パソコン１００の画像表示面は、辺２ａおよび辺２ｄが長い横長の長方形状である。なお、画像表示面２は、図１に示した横長長方形状の他に、縦長の長方形状、もしくは、正方形状とすることができる。また、それぞれの形状における２つの辺の交点である角部は厳密に直角となっている必要はない。小さな曲線で接続されていたり、面取り状に斜めの線で接続されていたりする場合がある。また、矩形状を構成する各辺が、ごくわずかに外方／内方に湾曲している場合もある。
【００１８】
画像表示面２は、タッチパネルとしての機能を兼ね備えていて、表示画像に併せて使用者が指またはタッチペンなどで画像表示面２にタッチすることで、タブレット型パソコン１００の操作を行うことができる。
【００１９】
タブレット型パソコン１００では、図１では横長矩形状に示されている画像表示面２において、図１中上側に位置する辺２ａに沿う方向（図１における左右方向）に、タブレット型パソコン１００を保持するための把手３が固定形成されている。把手３は、筐体１の外殻から突出して形成され、把手３の両端部３ａ、３ｂが筐体１に接続されている。
【００２０】
画像表示面２の図１中の左側に位置する辺２ｂに沿って、画像表示面２の外側のいわゆる額縁領域に、タブレット型パソコン１００を操作する操作部４が配置されている。操作部４には、複数の操作ボタン４ａが配置されている。操作ボタン４ａとしては、電源のオン／オフを制御する電源ボタン、画像表示面で表示される画像のモードを選択するモード選択ボタン、後述する撮像素子であるカメラ５のシャッターボタンなど、画像表示面２で表示される画像とともに、タブレット型パソコン１００の制御を行うものである。
【００２１】
画像表示面２の周辺部分、いわゆる額縁部分であって、画像表示面２の２つの対角線１１および１２の内の一方（図１では対角線１１）の延長部分の角部１ｂには、撮像素子であるカメラ５、音声を取得するマイクロホン６、およびタブレット型パソコン１００のセキュリティーを保護するための指紋認証部７が配置されている。この角部１ｂは、把手３の両端部３ａ、３ｂの筐体１との接続部分の内、図１における右側の接続部（両端部３ａおよび３ｂの内の３ｂ）に相当する。また、操作部４の配置位置は、カメラ５が配置された角部１ｂ側の画像表示面２を構成する２つの辺（図１における画像表示面２の上側の辺２ａおよび図中右側の辺２ｃ）以外の辺２ｂに沿った位置としている。操作部４の配置位置をこのように構成することで、例えば使用者は、カメラ５の撮像角度を遮ることなく、操作部４に配列した操作ボタン４ａを用いてカメラ５のシャッター操作等ができる。
【００２２】
カメラ５は、タブレット型パソコン１００を操作する使用者の表情を写したり、タブレット型パソコン１００の主面１ａが向けられた対象を写したりする撮像素子である。カメラ５は、ＣＣＤ素子やＣ−ＭＯＳ素子など、光学的信号を電気的な画像データに変換できる各種の電気素子を用いることができる。なお、カメラ５で撮像される画像としては、静止画、動画のいずれか、またはその両方が含まれる。なお、カメラ５の近傍に配置されているマイクロホン６や指紋認証部７は、タブレット型パソコンやノートパソコンに従来用いられている素子をそのまま適用することができる。
【００２３】
なお、タブレット型パソコン１００の内部には、各種処理と制御を行う中央演算素子（ＣＰＵ）や、主たるメモリ素子であるハードディスクドライブ（ＨＤＤ）、動作電源である二次電池、有線／無線ＬＡＮボードなど、画像表示のためのビデオボートなど、パソコンに搭載される各種電子機器・装置が搭載されている。また、タブレット型パソコン１００の側面部や、画像表示面２が形成された主面１ａの反対側の面である裏面には、タブレット型パソコン１００と外部との間で各種信号のやりとりなどを行う接続端子や、メモリカードやＰＣカードなどを装着するためなどの接続ポートが形成されているが、これらの構成は従来のタブレット型パソコンやノートパソコンと同じであるため、詳細な説明は省略する。
【００２４】
図２は、タブレット型パソコン１００の第１の使用状況を説明する図である。
【００２５】
図２に示すように、タブレット型パソコン１００は、操作に際して、把手３を使用者の躰から離れた側に配置した状態で、把手３が突出されている側とは反対の側の筐体１の両端部近傍を使用者が両手で保持して使用される。この場合、画像表示面２に表示される画像は、図２中に矢印２１として示す方向を上方向とする画像であり、横長矩形の状態となっている画像表示面２に合わせて、上下方向が短く左右方向が長い横長の画像である。
【００２６】
このとき、タブレット型パソコン１００の操作部４が画像表示面２の左側に来るため、使用者はタブレット型パソコン１００を保持しながら、左手の指で操作部４の操作ボタン４ａを押して操作することができる。
【００２７】
タブレット型パソコン１００では、図２に示す使用状態において、画像表示面２の中心１３の位置と比較してカメラ５が、使用者から見て上右側に位置している。このため、カメラ５で撮像された画像は、使用者の正面像を斜め上方から写した画像となる。
【００２８】
また、タブレット型パソコン１００では、カメラ５の光軸１５が、カメラ５が配置されている筐体１の主面１ａ（すなわち、画像表示面２の画像表示画面）に対して垂直な方向を指し示しているのではなく、画像表示面２の中心１３（すなわち、画像表示面の２つの対角線１１、１２の交点）を通る画像表示面２と垂直に交わる垂線１４上にある基準点１６に向かって傾斜している。
【００２９】
図２に示した状態で、タブレット型パソコン１００を保持している使用者は、画像表示面２に表示された画像を正面から正対した状態で見ようとする。したがって、使用者の顔は、画像表示面２の正面に位置し、画像表示面２の中心１３における垂線１４が使用者の視線中心とほぼ同じになる。一方、カメラ５の光軸が筐体１の主面１ａに対して垂直であると、使用者の視線とカメラ５の光軸とが、画像表示面２の中心１３とカメラ５の配置位置との間の距離を隔てた平行な線となり、使用者の顔がカメラ５の撮像範囲の中心に位置しない。また、使用者の視線がカメラ５の光軸と一致しないために、撮像された使用者の画像が不自然な印象を与えることになる。
【００３０】
これに対し、タブレット型パソコン１００は、カメラ５の光軸１５が、画像表示面２の中心１３に対する垂線１４上の基準点１６に向かって傾斜しているため、カメラ５の撮像範囲の中心に使用者の顔を位置させることができる。また、使用者の視線とカメラ５の光軸とは完全には一致しないが、違和感の少ない画像を撮影することができる。なお、上述した基準点１６は、使用者が画像表示面２を視認する際の明視の距離に設定することができる。
【００３１】
図３は、タブレット型パソコン１００の第２の使用状況を説明する図である。図３に示した、第２の使用状況は、本実施形態のタブレット型パソコン１００が備える把手３を、使用者が使用時に保持のために利用している状態である。
【００３２】
このように、タブレット型パソコン１００の把手３は、タブレット型パソコン１００を持ち運ぶ際の取手として使用されるばかりでなく、画像表示面２に図中矢印２２に示す方向を上下方向とする画像が表示されているときに、タブレット型パソコン１００の保持に使用することができる。もちろん、図３に示す使用状態における表示画像は、縦長状態となっている画像表示面２に合わせて、上下方向が長く左右方向が短い縦長の画像である。
【００３３】
図３に示した使用状態においても、画像表示面２の中心１３の位置と比較してカメラ５が、使用者から見て上左側に位置していることになる。このため、カメラ５で撮像された画像は、使用者の正面像を斜め上方から写した画像となる。
【００３４】
また、図３のように、画像表示面２を縦長方向に配置してタブレット型パソコン１００を使用する場合でも、カメラ５の光軸１５が、筐体１の主面１ａ（すなわち、画像表示面２の画像表示画面）に垂直ではなく、画像表示面２の中心１３における垂線１４上にある基準点１６に向かって傾斜しているため、使用者の顔がカメラの撮像範囲の中心に位置し、使用者の視線の違和感も少ない画像を撮影することができる。
【００３５】
また、図３に示したように、画像表示面２を縦長の状態で使用する場合には、操作ボタン４ａが配列された操作部４が、画像表示面２の下側に位置することになる。このため、使用者は、タブレット型パソコン１００の底面側を右手で保持しながら、右手の指で操作ボタン４ａを操作することができる。また、図３に示す状態において、操作ボタン４ａを操作しようとする使用者の腕が表示画像や、カメラ５の視野を覆い隠してしまうなどの不都合が生じない。
【００３６】
さらに、タブレット型パソコン１００では、把手３の両端部３ａ、３ｂが筐体１に固定されているため、図３に示すように使用者が左手で把手３を保持した状態で、右手を筐体１から離して画像表示面２をタッチして操作する場合でも、タブレット型パソコン１００を揺動等させることなく安定な保持状態を保つことができる。
【００３７】
このように、タブレット型パソコン１００の場合では、操作部４を、カメラ５が配置された角部を構成する２つの辺以外の辺に沿って配置することで、タブレット型パソコン１００の高い操作性を確保することができる。
【００３８】
以上のように、タブレット型パソコン１００では、画像表示面２を縦長方向と横長方向のいずれの方向に配置した状態で使用しても、使用者の顔が位置する画像表示面２の中心１３に対して、カメラ５の位置が使用者から見て上側に位置する。このため、使用者の顔を下側から見上げるような不自然な画像ではなく、使用者の顔を斜め上方から撮影した自然な画像を得ることができる。
【００３９】
なお、画像表示面２の中心１３における垂線１４上の基準点１６の位置、すなわち、画像表示面２の中心１３から基準点１６までの高さは、画像表示面２の大きさや筐体１の大きさ、画像表示面２で表示される画像の種類や細かさなどを考慮して、適宜変更することができる。すなわち、画像表示面２が小さい場合や、表示画像が細かい場合には、使用者は顔を近づけて画像を観視する傾向が強いため、基準点１６の画像表示面２の中心１３からの高さを小さく設定するなどの変更である。具体的な数値の一例として、基準点１６の画像表示面の中心１３からの高さを３０ｃｍとしている。なお、上述した基準点１６の変更手段として、例えば、カメラ５の光軸１５の傾き角度を、画像表示面２の中心１３における垂線１４上で基準点１６の位置に応じて変化させる位置調整部を備えることもできる。または、しぼりで撮像素子に入射する光像の被写界深度を調整する被写界深度調整部を備えることもできる。
【００４０】
なお、図２に示した第１の使用状態、図３に示した第２の使用状態のいずれにおいても、使用者がタブレット型パソコン型１００を、両手を用いて保持している状態を示した。しかし、タブレット型パソコン１００は、タッチパネル機能を備えることから、使用者が左手のみでタブレット型パソコン１００を保持して、右手でタッチパネルの操作を行う場合が想定される。また、使用者が、タブレット型パソコン１００を机などの上に載置して操作する場合も考えられる。タブレット型パソコン１００の場合には、これらのいずれの使用状態においても、使用者の顔の位置とカメラの配置位置との関係は、図２および図３で示した状態と同じく画像表示面２の中心よりも上側にカメラ５の位置を確保できるため、使用者の顔がカメラ５の撮像範囲の中心に位置し、使用者の目線や撮影された顔の角度が自然な撮像画像を得ることができる。
【００４１】
なお、図１に示したように、タブレット型パソコン１００において、カメラ５が配置される角部１ｂは、画像表示面２の周辺部分で画像表示面２の対角線１１の延長上の位置よりも図１の上側の位置となっている。このように、カメラ５が配置される角部１ｂは、画像表示面２の２つの辺で構成される角部分の周囲の一定の範囲内の領域を示し、対角線１１の延長上に正確にカメラ５が配置されている必要はない。カメラ５が傾いて配置される際に本開示は適用可能である。また、本実施の形態のように画像表示面２の周囲部分であって、画像表示面２の縦方向および横方向の中心から離れた位置にカメラ５が配置される場合は、画像表示面２の縦長方向と横長方向のいずれの方向に配置した状態で使用してもカメラ５の光軸を校正する必要があるので、効果がより大きい。また、本実施の形態のように画像表示面２の周囲部分であって、画像表示面２の４隅から斜め方向に離れた個所にカメラ５が配置される場合にはカメラ５の光軸を校正する効果がより大きい。タブレット型パソコン１００の画像表示面２は、横幅が約２１．４ｃｍ、縦幅が約１６．２ｃｍであるが、例えば、カメラ５の配置位置は、画像表示面２の中心１３から対角線１１を挟んで、長辺２ａ側に約２０度、短辺２ｃ側に約１０度程度傾斜した位置とすることができる。なお、長辺側の配置位置の裕度が短辺側の裕度に比べて大きいのは、画像表示面２を縦長方向に使用する場合には、画像表示面２の中心１３とカメラ５との距離が自然と大きくなり、使用者の顔を斜め上方から撮像することができるからである。このため、図１に示したタブレット型パソコン１００では、スペース的な裕度の大きい把手３の筐体１との接続部分３ｂに、カメラ５を配置している。
【００４２】
図４は、タブレット型パソコン１００の、撮像素子であるカメラ５が配置されている部分の構成を示す要部拡大斜視図である。なお、図４は、カメラ５とマイクロホン６とが搭載されたカメラモジュール基板８の固着部分を示すために、筐体１の上面カバーを取り除いた状態を示している。
【００４３】
図４に示すように、タブレット型パソコン１００において、カメラ５が搭載されたカメラモジュール基板８は、支持金具９によって筐体１の内面に固着されている。すなわち、カメラモジュール基板８は、図４の右側端部の筐体１と把手３との接続部分（両端部３ａおよび３ｂの内の３ｂ）に配置され、また底面９ａが筐体１の主面１ａと平行で、底面９ａの上面にカメラモジュール基板８の搭載面９ｂが傾斜する支持金具９によって筐体１の内面に固着されている。
【００４４】
図４に示すように、支持金具９は、底面９ａが画像表示面２や指紋認証部７と同様に筐体１の主面１ａに平行であるが、搭載面９ｂが底面９ａと図４の左右方向で図中右側が高くなるように傾斜している。また、図４における紙面奥行き方向においても奥側が手前側に対して高くなるように傾斜している。
【００４５】
このため、支持金具９の搭載面９ｂに搭載されたカメラモジュール基板８全体が画像表示面２の配置されている方向に傾くため、カメラ５の光軸１５が、図４中左側手前に傾斜し、カメラ５の撮像範囲１６も図４における左側手前に傾いた状態とすることができる。
【００４６】
なお、タブレット型パソコン１００では、カメラモジュール基板８を載置する支持金具９の搭載面９ｂが傾いた例を示したが、カメラ５の光軸を所定の方向に傾ける方法はこの方法に限られない。例えば、カメラモジュール基板８に対して、カメラ５のみを傾斜させて固着する方法や、カメラ５として、光軸が傾いた撮像素子を用いる方法などを採用するなどが挙げられる。
【００４７】
以上説明したように、タブレット型パソコン１００は、画像表示面の周囲部分であって画像表示面の対角線の延長上に位置する角部に撮像素子であるカメラが配置されているため、画像表示面を横長に使用した場合、縦長に使用した場合のいずれの場合でも、使用者にとって、画像表示面の中心よりも上側にカメラが位置することになる。このため、カメラで撮像された画像を、使用者の顔を斜め上方向から捉えた自然な画像とすることができる。
【００４８】
さらに、タブレット型パソコン１００では、カメラの光軸を画像表示面の中心において画像表示面と垂直に交わる垂線上の基準点に向かって傾斜しているため、使用者の顔が、カメラで撮像された画像の中央に位置することとなり、より自然な画像を撮像することができる。
【００４９】
なお、図１に示したタブレット型パソコン１００は、図２で示したように把手３を使用者の躰から離した状態で保持した場合には、画像表示面２の左側に操作部４が位置するようになっている。しかし、タブレット型パソコン１００では、例えば図５として示すタブレット型パソコン１００’のように、操作部４を画像表示面２の右側に配置することができる。図５に示すタブレット型パソコン１００’のように、操作部４を画像表示面２の右側に配置した場合には、図２に示すように画像表示面２を横長に配置して使用する場合に、使用者が筐体１を下側から保持している右手の指で操作ボタン４ａを操作することができる。また、このタブレット型パソコン１００’の場合において、図３に示したように、使用者が画像表示面２を縦長に配置して使用する場合には、カメラ５のシャッター操作を操作ボタン４ａではなくタッチパネル上で操作できるようにすることで、操作を行う右手でカメラの撮像範囲を遮ってしまう不都合を回避することができる。
【００５０】
また、図１および図５で示したタブレット型パソコン１００とタブレット型パソコン１００’とは、いずれも筐体１の主面１ａの側方に突出部が形成された形状を示したが、主面１ａの形状は図示した形状に限定されるものではない。
【００５１】
次に、タブレット型パソコンの、異なる構成について説明する。
【００５２】
図６は、タブレット型パソコンの異なる第１の構成例を示す斜視図である。
【００５３】
図６に示すように、タブレット型パソコン２００は、図１に示したタブレット型パソコン１００のような把手３や筐体１の凹凸が無く、板状の極めてシンプルな筐体２０１を備えている。そして、筐体２０１の主面２０１ａには、液晶パネルなどの画像表示素子が配置されて矩形状の画像表示面２０２が形成されている。
【００５４】
図６に示すタブレット型パソコン２００は、画像表示面２０２とともに筐体２０１の主面２０１ａも縦長の略矩形状となっている。また、画像表示面２０２の周囲の額縁領域の幅は、画像表示面２０２の全周でほぼ均等になっている。図６に示す状態では、タブレット型パソコン２００の画像表示面２０２には、図中矢印２０４として示す方向が上下方向の縦長の画像が表示される。
【００５５】
図６に示すタブレット型パソコン２００においても、画像表示面２０２の周囲であって、画像表示面２０２の対角線の延長上である角部２０１ｂに、カメラ２０３が配置されている。
【００５６】
また、画像表示面２０２を横長矩形状として用いる場合には、図６において矢印２０５として示した方向が上下方向となるように画像を表示させることで、画像表示面２０２で表示される画像の向きにかかわらずカメラ２０３が表示画像よりも上側に位置するようにすることができ、例えば使用者の手や指でかめら２０３の撮像範囲を遮ることを抑制することができる。なお、このように、画像表示面２０２を横長矩形状として使用する場合には、使用者が視認する方向に合わせて表示される画像を適宜回転する等の、画像制御方法を用いることができる。
【００５７】
なお、図６に示すタブレット型パソコン２００においても、カメラ２０３の光軸を、画像表示面２０２の中心における垂線上の基準点に向かうように傾斜させることで、より自然な画像を撮像することができる。
【００５８】
図７は、パソコンの異なる第２の構成例を示す斜視図である。図７に示すように、パソコン３００は、通常のノートパソコンの形態を備えているが、タブレット型パソコンとしても使用できる形態のものである。
【００５９】
図７に示すように、パソコン３００は、ノートパソコンと同様に、表面にキーボード３０４などを備えた本体部３０３と、画像表示面３０２が形成された表示部３０１とが、ヒンジ３０５によって開閉可能に取り付けられている。
【００６０】
図７に示したパソコン３００は、図７に示すように表示部３０１を開いた状態でノートパソコンと同様に使用することができるとともに、ヒンジ部３０５によって、図中矢印３０７として示すように表示部３０１が本体部３０３の裏側に位置するまで回動させることができる。このように、表示部３０１が本体部３０３の裏側に背中合わせとなるまで回動させることで、キーボード３０４と画像表示面３０２とをそれぞれ偏平箱形の筐体の両外面に位置させた一般的なタブレット形状となる。また、表示部３０１と本体部３０３とが同一平面（すなわち、ヒンジ部３０５の開閉内角が１８０度）を構成するような形態として、タブレット型パソコンの形状を採ることができる。
【００６１】
図７に示したパソコン３００の場合においても、画像表示面３０２の周囲であって、画像表示面３０２の対角線の延長上である角部、図６における右上側に位置する角部に撮像素子であるカメラ３０６を配置することで、使用者の顔を斜め上方から撮像した撮像画像を得ることができる。
【００６２】
具体的には、図７に示すように、画像表示面３０２を開いた状態で使用する場合には、画像表示面３０２では、図中矢印３０８で示す方向を上下方向とする画像が表示される。また、表示部３０１が本体部３０３の裏側に位置するように回動してタブレット型形状のパソコン（すなわち、ヒンジ部３０５の開閉内角を矢印３０７の状態）として使用する場合において、画像表示面３０２を横長形状で使用する場合には、図７に示した場合と同様に図７中に矢印３０８として示す方向を上下方向として画像を表示し、画像表示面３０２を縦長となるように使用する場合には、図７中に矢印３０９で示す方向を上下方向として画像を表示することで、カメラ３０６の配置位置を常に画像表示面の中心よりも上側に位置させることができる。
【００６３】
この結果、図７に示したパソコン３００でも、図１に示したタブレット型パソコン１００や図６に示したタブレット型パソコン２００と同様に、表示画像が切り替わった場合でも使用者の顔を斜め上方から捉えた画像を撮像することができる。また、図７に示したパソコン３００でも、カメラ３０６の光軸を画像表示面の中心に対する垂線上の基準点に向けて傾けることで、使用者に撮像画像が自然なものと認識させることができる。
【００６４】
図８は、パソコンの異なる第３の構成例を示す斜視図である。図８に示すパソコン４００も、通常のノートパソコンの形態を備えているが、タブレット型パソコンとしても使用できる形態のものである。
【００６５】
図８に示すように、パソコン４００は、図７で示したパソコン３００と同様に、通常のノートパソコンのように、表面にキーボード４０４などを備えた本体部４０３と、画像表示面４０２が形成された表示部４０１とが、ヒンジ４０５によって開閉可能に取り付けられている。図８に示すパソコン４００が、図７に示したパソコン３００と異なる点は、表示部４０１と本体部４０３とが互いに直交する２つの軸に対して開閉および回動可能な二軸ヒンジ４０５で接続されていることである。
【００６６】
このような二軸ヒンジ４０５を備えたパソコン４００は、表示部４０１が矢印４０７のように二軸ヒンジ４０５を中心として水平面内で回動可能であり、同時に、矢印４０８に示すように表示部４０１を本体部４０３に対して開閉させることができる。このため、画像表示面４０２が外側になるようにした状態で、表示部４０１が本体部４０３と重なるように閉じることで、キーボード４０４が配置された本体部４０３の表面を内側にしまった状態で、表面に画像表示面４０２が配置される偏平箱形の筐体を有するタブレット型のパソコンとすることができる。
【００６７】
図８に示すパソコン４００においても、画像表示面４０２の周囲部分であって、画像表示面４０２の対角線の延長上に位置する角部、図８における右上側に位置する角部に撮像素子であるカメラ４０６を配置することで、使用者の顔を斜め上方から撮像した撮像画像を得ることができる。
【００６８】
具体的には、図８に示すように、画像表示面４０２を内側にして開いた状態で使用する場合には、図中矢印４０９で示した方向が上下方向である画像が表示される。また、画像表示面４０２を外側にした状態で、本体部４０３と重なるように閉じたタブレット型パソコンとして使用する場合には、画像表示面４０２を横長形状で使用する場合には、図８に示した場合と同様に図８中に矢印４０９として示す方向が上下方向となるように画像を表示し、また、画像表示面４０２を縦長となるように使用する場合には、図８中に矢印４１０で示す方向が上下方向となるように画像を表示することで、カメラ４０６の配置位置を常に画像表示面４０２の中心よりも斜め上側に位置させることができる。
【００６９】
この結果、図８に示したパソコン４００でも、他の構成例のタブレット型のパソコンと同様に、表示画像の方向が切り替わった場合でも使用者の顔を斜め上方から捉えた画像を撮像することができる。また、カメラ４０６の光軸を、画像表示面の中心に対する垂線上の基準点に向けて傾けることで、使用者に自然なものと認識される画像を撮像することができる。
【００７０】
なお、タブレット型パソコンの形態としては、図１および図５、さらに図６から図８として例示したものの他にさまざま構成を採ることができ、画像表示面に互いに９０度異なる方向を上下方向とする２通りの画像が表示されるタブレット型のパソコンに本開示を適用することができる。
【００７１】
また、上記実施の形態ではいずれも、使用者に対し対面するカメラは１つとして説明したが、画像表示面を視認する使用者に対して上側の左右２箇所にカメラを備える構成も適用することができる。この場合でも、左右に配置したカメラ中心軸の傾きは、画像表示面に直交する中心軸方向に傾斜させる構成とする。左右に２箇所カメラを配置することで、例えば立体画像を撮像することができる。なお、３つのカメラを３つの角部にそれぞれ配置することで、画像表示面に互いに９０度異なる方向を上下方向とする２通りの画像を表示する際のいずれの画像表示方向の場合でも、立体画像を撮像することができる。
【００７２】
また、２つのカメラを配置した場合に、一方のカメラが使用者に近接してしまうために適切な画像が撮像できない場合には、使用者に近接している側のカメラを停止する構成を採用すればよい。
【００７３】
さらに、例えば図８に示した２軸ヒンジを備えたパソコン４００の場合には、二軸ヒンジ４０５の回転中心軸矢印４０７と平行な位置に第２のカメラを備えることで、画像表示面４０２を外側にしたタブレット型の形態で横長の画像表示面として使用する場合、この第２のカメラを動作状態とすることで、使用者がパソコン４００を持ち替えずに使用することができる。
【００７４】
以上、上記本実施の形態にかかる電子機器として、各種形態のタブレット型パソコンを例示して説明した。しかしながら、本開示の電子機器としては、このようなタブレット型パソコンに限らず、例えば、携帯電話、携帯用ゲーム機など、画像表示機能と撮像機能とを備えた各種の電子機器に適用することができる。
【００７５】
以上のように、本開示における技術の例示として、実施の形態を説明した。そのために、添付図面および詳細な説明を提供した。
【００７６】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７７】
また、上述の実施の形態は、本開示における技術を例示するためのものであるから、特許請求の範囲またはその均等の範囲において種々の変更、置き換え、付加、省略などを行うことができる。
【産業上の利用可能性】
【００７８】
本開示は、画像表示面に互いに９０度異なる方向を上下方向とする２通りの画像が表示される場合でも、撮像素子によって自然な画像を撮像することができる電子機器として、各種用途に適用することができる。
【符号の説明】
【００７９】
１  筐体
１ａ  主面
１ｂ  角部
２  画像表示面
５  カメラ（撮像素子）
１１  対角線
１００  タブレット型パソコン（電子機器）
【図１】
0005632972.tif 000002
【図２】
0005632972.tif 000003
【図３】
0005632972.tif 000004
【図４】
0005632972.tif 000005
【図５】
0005632972.tif 000006
【図６】
0005632972.tif 000007
【図７】
0005632972.tif 000008
【図８】
0005632972.tif 000009